(57)【要約】【課題】  画像化情報のスキャン意欲を高め、スキャン行為自体に価値を提供する。【解決手段】  ポイント発行者を識別する発行者識別情報を含んだ画像化情報６を媒体上に付加して利用者に提供し、利用者が所有する携帯端末装置３を用いて画像化情報６をスキャンした場合には、携帯端末装置３がポイント管理サーバ５に対して、この発行者識別情報と、携帯端末装置３を識別可能な端末識別情報とを送信させるようにし、端末識別情報に対応する合計ポイント情報に所定のポイントを加算処理することで、スキャン行為に応じてポイントを発行するようにした。【選択図】図１
2006048118.tif 000002
【特許請求の範囲】
【請求項１】
ポイント発行者が利用者に対して通信回線を介してポイントを発行するポイント発行方法において、
前記ポイント発行者を識別する発行者識別情報を含んだ画像化情報を所定の媒体上に付加して前記利用者に提供し、
該利用者が所有する携帯端末装置を用いて前記画像化情報をスキャンした場合には、該携帯端末装置がポイント管理サーバに対して、前記通信回線を介して前記発行者識別情報と、該携帯端末装置を識別可能な端末識別情報とを送信させるようにし、
前記発行者識別情報と前記端末識別情報を受信した前記ポイント管理サーバは、前記端末識別情報に対応する合計ポイント情報に所定のポイントを加算処理することで、前記スキャン行為に応じてポイントを発行するようにしたことを特徴とするポイント発行方法。
【請求項２】
請求項１において、
前記携帯端末装置を識別する前記端末識別情報として、特定のＵＲＬに前記携帯端末装置がアクセスした場合において前記携帯端末から送信される端末固有番号を利用することを特徴とするポイント発行方法。
【請求項３】
請求項１又は２において、
前記画像化情報をスキャンした場合に前記携帯端末装置から電子メールを送信させるようにし、前記携帯端末装置を識別する前記端末識別情報として前記電子メールの送信元メールアドレスを利用することを特徴とするポイント発行方法。
【請求項４】
請求項１、２又は３において、
ユニークな前記端末識別情報を保有する端末識別アプリケーションソフトを前記携帯端末装置に予めインストールさせておき、前記画像化情報をスキャンした場合には、該端末識別アプリケーションソフトが前記画像化情報をスキャンするデバイスと連動して、該端末識別情報を前記ポイント管理サーバに送信するようにしたことを特徴とするポイント発行方法。
【請求項５】
請求項１乃至４のいずれかにおいて、
前記ポイント管理サーバが、前記携帯端末装置から受信した前記端末識別情報と、予め登録されている端末識別情報と照合することで端末認証を実行し、受信した前記端末識別情報が予め登録されていた場合には所定のポイントを加算処理する一方、予め登録されていない場合には、前記携帯端末装置に対して新規会員登録を促す情報を送信するようにしたことを特徴とするポイント発行方法。
【請求項６】
請求項１乃至５のいずれかにおいて、
前記画像化情報には、該画像化情報を識別する画像識別情報が含まれており、
前記ポイント管理サーバが、前記画像識別情報と前記端末識別情報に基づいて、同一の前記携帯端末装置による同一の前記画像化情報のスキャン回数を識別し、２回目以降のスキャンに対してはポイントの加算処理を禁止するようにしたことを特徴とするポイント発行方法。
【請求項７】
請求項１乃至６のいずれかにおいて、
前記携帯端末装置は、自身の位置情報を確認可能な位置検出装置を備えており、前記画像化情報をスキャンした場合には、前記発行者識別情報と前記端末識別情報に加えて前記位置情報も送信するようにしたことを特徴とするポイント発行方法。
【請求項８】
請求項１乃至７のいずれかにおいて、
前記ポイントを利用して所定のサービスを提供するポイント利用サーバが、前記携帯端末装置から前記通信回線を介して前記ポイントの利用要求を受信した場合には、前記ポイント利用サーバが前記携帯端末装置に対してポイント利用パスワードの入力を促し、受信した前記ポイント利用パスワード、ポイント利用数及び前記端末識別情報を前記ポイント管理サーバに転送することで、該ポイント管理サーバが本人認証を実行し、本人確認が完了したら、ポイント利用数を合計ポイント情報から減ずるようにしたことを特徴とするポイント発行方法。
【請求項９】
請求項１乃至８のいずれかにおいて、
前記ポイント管理サーバは、前記合計ポイント情報を管理する情報として、前記端末識別情報に加えて前記利用者が任意に設定するポイント管理識別情報を利用するようにし、前記利用者が前記携帯端末装置を別の装置に変更した場合には、前記ポイント管理識別情報に基づいて前記合計ポイント情報を別の装置に移行させることを可能にしたことを特徴とするポイント発行方法。
【請求項１０】
請求項１乃至９のいずれかにおいて、
前記ポイント管理サーバは、前記合計ポイント情報を管理する情報として、前記端末識別情報に加えて前記携帯端末装置の電話番号情報を利用するようにし、前記利用者が前記携帯端末装置を別の装置に変更した場合には、前記ポイント管理サーバに対して以前の前記電話番号情報を送信することで本人確認を行い、前記合計ポイント情報を別の装置に移行させることを可能にしたことを特徴とするポイント発行方法。
【請求項１１】
ポイント管理サーバにより、ポイント発行者が利用者に対して通信回線を介してポイントを発行するポイント発行システムであって、
前記ポイント発行者を識別する発行者識別情報、及びスキャンした携帯端末装置を識別する端末識別情報を前記ポイント管理サーバに送信させる送信命令を含み、所定の媒体上に付加されて前記利用者に提供される画像化情報と、
前記ポイント管理サーバに用意され、前記端末識別情報、及び前記端末識別情報に対応した合計ポイント情報が蓄積されたポイント管理データベース部と、
前記ポイント管理サーバに用意され、スキャン行為によって送信された前記発行者識別情報と前記端末識別情報を受信して、前記ポイント管理データベース部に蓄積されている前記端末識別情報の前記合計ポイント情報に対して所定のポイントを加算処理するポイント処理部と、
を備えることを特徴とするポイント発行システム。
【請求項１２】
請求項１１において、
前記ポイント処理部は、前記携帯端末装置を識別する前記端末識別情報として、特定のＵＲＬに前記携帯端末装置がアクセスした場合に前記携帯端末から送信される端末固有番号を利用することを特徴とするポイント発行システム。
【請求項１３】
請求項１１又は１２において、
前記画像化情報には、前記画像化情報をスキャンした場合に前記携帯端末装置から電子メールを送信させる命令を含むようにし、前記ポイント処理部は、前記携帯端末装置を識別する前記端末識別情報として前記電子メールの送信元メールアドレスを利用することを特徴とするポイント発行システム。
【請求項１４】
請求項１１、１２又は１３において、更に、
ユニークなソフト識別情報を保有しており、前記携帯端末装置にインストールされることで、スキャン行為と連動して、前記ソフト識別情報を前記端末識別情報として前記ポイント発行サーバに送信可能な端末識別アプリケーションソフトと、
前記端末識別アプリケーションソフトを前記携帯端末装置に配信可能なソフト配信サーバと、
を備えるようにしたことを特徴とするポイント発行システム。
【請求項１５】
請求項１１乃至１４のいずれかにおいて、更に、
前記ポイント管理サーバに用意され、前記携帯端末装置から受信した前記端末識別情報が前記ポイント管理データベースに予め登録されていない場合には、前記携帯端末装置に対して会員登録画面を送信して新規会員登録を促す会員登録処理部を備えることを特徴とするポイント発行システム。
【請求項１６】
請求項１１乃至１５のいずれかにおいて、
前記画像化情報には、該画像化情報を識別する画像識別情報が含まれており、
前記ポイント管理データベースには、前記合計ポイント情報に加えて、前記携帯端末装置から送信された前記画像識別情報が蓄積され、
前記ポイント処理部が、前記画像識別情報と前記携帯端末装置を識別する前記端末識別情報とに基づいて、同一の前記携帯端末装置による同一の前記画像化情報のスキャン回数を識別し、２回目以降のスキャンに対してはポイントの加算処理を禁止するようにしたことを特徴とするポイント発行システム。
【請求項１７】
請求項１１乃至１６のいずれかにおいて、
前記画像化情報には、自身の位置情報を確認可能な位置検出装置を備えている前記携帯端末装置によってスキャンされた場合に、前記発行者識別情報と前記端末識別情報に加えて前記位置情報も送信させる命令を含むことを特徴とするポイント発行システム。
【請求項１８】
請求項１１乃至１７のいずれかにおいて、更に、
前記ポイントを利用して所定のサービスを提供するポイント利用サーバと、
前記ポイント利用サーバに用意され、前記携帯端末装置から前記通信回線を介して前記ポイントの利用要求を受信した場合には、前記携帯端末装置に対してポイント利用パスワードの入力を促し、受信した前記ポイント利用パスワードに加えて、ポイント利用数を前記ポイント管理サーバの前記ポイント処理部に送信してポイント利用処理の実行を指示するポイント利用提案処理部と、
前記ポイント利用サーバに用意され、前記ポイント処理部においてポイント利用処理の実行が完了した旨の処理完了情報を受信した場合に、前記ポイント利用数に応じて所定のサービスの提供の実行するサービス提供処理部と、を備え、
前記ポイント管理サーバにおける前記ポイント処理部は、前記ポイント利用提案処理部から受信した前記ポイント利用パスワードに基づいて本人認証を実行し、本人確認完了後、ポイント利用数を合計ポイント情報から減じた上で前記サービス提供処理部に前記処理完了情報を送信するようにしたことを特徴とするポイント発行システム。
【請求項１９】
請求項１１乃至１８のいずれかにおいて、
前記ポイント管理データベースには、前記合計ポイント情報と前記端末識別情報に加えて、前記利用者が任意に設定するポイント管理識別情報が蓄積され、
前記ポイント管理サーバは、更に、
前記利用者が第１の前記携帯端末装置を第２の携帯端末装置に変更した場合に、前記第２携帯端末装置に対して前記ポイント管理識別情報の入力を促す画面を送信し、受信した前記ポイント管理識別情報が前記ポイント管理データベースに存在する場合には、対応する第１の前記携帯端末装置の端末識別情報を第２の携帯端末装置の端末識別情報に更新することで、合計ポイント情報を第２の携帯端末装置に移行させる端末移行処理部を備える
ことを特徴とするポイント発行システム。
【請求項２０】
請求項１１乃至１９のいずれかにおいて、
前記前記ポイント管理データベースには、前記合計ポイント情報と前記端末識別情報に加えて、前記携帯端末装置の電話番号情報が蓄積され、
前記ポイント管理サーバは、更に、
前記利用者が第１の前記携帯端末装置を第２の携帯端末装置に変更した場合に、前記第２携帯端末装置に対して前記第１の携帯端末装置の電話番号情報の入力を促す画面を送信し、受信した前記電話番号情報が前記ポイント管理データベースに存在する場合には、対応する第１の前記携帯端末装置の端末識別情報を第２の携帯端末装置の端末識別情報に更新することで、合計ポイント情報を第２の携帯端末装置に移行させる端末移行処理部を備える
ことを特徴とするポイント発行システム。
【発明の詳細な説明】
【技術分野】
【０００１】
本発明は、通信回線を介してポイントを発行するポイント発行技術に関し、特に、画像化情報を活用してポイントを発行する技術に関する。
【背景技術】
【０００２】
昨今、携帯電話における２次元バーコードの利用が高まっている。例えば、新聞広告等に印刷される会社紹介の紙面等では２次元バーコードが表示されていることがある。この２次元バーコードには会社のＷＥＢサイトへアクセスするためのＵＲＬ情報が埋め込まれており、新聞の読者が、携帯電話のバーコードスキャナを用いて紙面に印刷されている２次元バーコードをスキャンすると、携帯電話が自動的にその会社のＷＥＢサイトにアクセスするようになっている。
【発明の開示】
【発明が解決しようとする課題】
【０００３】
このように、２次元バーコードの活用は始まってきているが、現時点の目的は、ＵＲＬの手入力を支援することにある。従って、２次元バーコードをスキャンする者にとっても、それ以外の特段のメリットが存在しない。この状況から脱すことができない理由は、この種の技術が、人件費削減等の業務効率化を進める分野で発展してきているところにある。例えば、バーコード技術は、店頭のレジにおけるＰＯＳシステムや、倉庫における商品のピッキング作業等の商品管理分野で採用されてきたが、それはやはり入力の手間や入力ミスを低減することが一番の目的であった。
【０００４】
ところで、本発明者は、今後、２次元バーコードが普及するにつれて、そのスキャン行為自体に価値が生じるであろうと考えている。つまり、携帯電話等の携帯端末にバーコードスキャナが予めインストールされている昨今では、単なる入力支援目的ではなく、スキャン行為が消費者によって実行され、それ自体が価値になると推察された。別の例を挙げると、新聞やテレビの広告は、消費者による閲覧行為自体に価値が存在し、そのために企業側は様々な努力を払ってきている。これを２次元バーコードのスキャン行為に当てはめてみると、２次元バーコードはコンテンツへの入り口であって、スキャン行為を実行してもらわないと、目的の情報を配信できないことになる。従って、新聞広告をいかに見てもらえるか、という視点と同様に、いかに２次元バーコードをスキャンしてもらうか、というのが大切になるという着想を得た。
【０００５】
しかしながら、今までの２次元バーコードの活用方法では、スキャンの意欲を高めることは全く考えられていないため、そのような手法やシステムを得ることは依然として困難な状況であった。
【０００６】
本発明は、斯かる実情に鑑み、ポイントを活用することで、２次元バーコード等の画像化情報をスキャンさせる意欲を高めることが可能なシステムを提供しようとするものである。
【課題を解決するための手段】
【０００７】
本発明の課題は下記の手段によって達成される。
【０００８】
（１）ポイント発行者が利用者に対して通信回線を介してポイントを発行するポイント発行方法において、前記ポイント発行者を識別する発行者識別情報を含んだ画像化情報を所定の媒体上に付加して前記利用者に提供し、該利用者が所有する携帯端末装置を用いて前記画像化情報をスキャンした場合には、該携帯端末装置がポイント管理サーバに対して、前記通信回線を介して前記発行者識別情報と、該携帯端末装置を識別可能な端末識別情報とを送信させるようにし、前記発行者識別情報と前記端末識別情報を受信した前記ポイント管理サーバは、前記端末識別情報に対応する合計ポイント情報に所定のポイントを加算処理することで、前記スキャン行為に応じてポイントを発行するようにしたことを特徴とするポイント発行方法。
【０００９】
（２）上記（１）において、前記携帯端末装置を識別する前記端末識別情報として、特定のＵＲＬに前記携帯端末装置がアクセスした場合において前記携帯端末から送信される端末固有番号を利用することを特徴とするポイント発行方法。
【００１０】
（３）上記（１）又は（２）において、前記画像化情報をスキャンした場合に前記携帯端末装置から電子メールを送信させるようにし、前記携帯端末装置を識別する前記端末識別情報として前記電子メールの送信元メールアドレスを利用することを特徴とするポイント発行方法。
【００１１】
（４）上記（１）、（２）又は（３）において、ユニークな前記端末識別情報を保有する端末識別アプリケーションソフトを前記携帯端末装置に予めインストールさせておき、前記画像化情報をスキャンした場合には、該端末識別アプリケーションソフトが前記画像化情報をスキャンするデバイスと連動して、該端末識別情報を前記ポイント管理サーバに送信するようにしたことを特徴とするポイント発行方法。
【００１２】
（５）請求項（１）乃至（４）のいずれかにおいて、前記ポイント管理サーバが、前記携帯端末装置から受信した前記端末識別情報と、予め登録されている端末識別情報と照合することで端末認証を実行し、受信した前記端末識別情報が予め登録されていた場合には所定のポイントを加算処理する一方、予め登録されていない場合には、前記携帯端末装置に対して新規会員登録を促す情報を送信するようにしたことを特徴とするポイント発行方法。
【００１３】
（６）上記（１）乃至（５）のいずれかにおいて、前記画像化情報には、該画像化情報を識別する画像識別情報が含まれており、前記ポイント管理サーバが、前記画像識別情報と前記端末識別情報に基づいて、同一の前記携帯端末装置による同一の前記画像化情報のスキャン回数を識別し、２回目以降のスキャンに対してはポイントの加算処理を禁止するようにしたことを特徴とするポイント発行方法。
【００１４】
（７）上記（１）乃至（６）のいずれかにおいて、前記携帯端末装置は、自身の位置情報を確認可能な位置検出装置を備えており、前記画像化情報をスキャンした場合には、前記発行者識別情報と前記端末識別情報に加えて前記位置情報も送信するようにしたことを特徴とするポイント発行方法。
【００１５】
（８）上記（１）乃至（７）のいずれかにおいて、前記ポイントを利用して所定のサービスを提供するポイント利用サーバが、前記携帯端末装置から前記通信回線を介して前記ポイントの利用要求を受信した場合には、前記ポイント利用サーバが前記携帯端末装置に対してポイント利用パスワードの入力を促し、受信した前記ポイント利用パスワード、ポイント利用数及び前記端末識別情報を前記ポイント管理サーバに転送することで、該ポイント管理サーバが本人認証を実行し、本人確認が完了したら、ポイント利用数を合計ポイント情報から減ずるようにしたことを特徴とするポイント発行方法。
【００１６】
（９）上記（１）乃至（８）のいずれかにおいて、前記ポイント管理サーバは、前記合計ポイント情報を管理する情報として、前記端末識別情報に加えて前記利用者が任意に設定するポイント管理識別情報を利用するようにし、前記利用者が前記携帯端末装置を別の装置に変更した場合には、前記ポイント管理識別情報に基づいて前記合計ポイント情報を別の装置に移行させることを可能にしたことを特徴とするポイント発行方法。
【００１７】
（１０）上記（１）乃至（９）のいずれかにおいて、前記ポイント管理サーバは、前記合計ポイント情報を管理する情報として、前記端末識別情報に加えて前記携帯端末装置の電話番号情報を利用するようにし、前記利用者が前記携帯端末装置を別の装置に変更した場合には、前記ポイント管理サーバに対して以前の前記電話番号情報を送信することで本人確認を行い、前記合計ポイント情報を別の装置に移行させることを可能にしたことを特徴とするポイント発行方法。
【００１８】
（１１）ポイント管理サーバにより、ポイント発行者が利用者に対して通信回線を介してポイントを発行するポイント発行システムであって、前記ポイント発行者を識別する発行者識別情報、及びスキャンした携帯端末装置を識別する端末識別情報を前記ポイント管理サーバに送信させる送信命令を含み、所定の媒体上に付加されて前記利用者に提供される画像化情報と、前記ポイント管理サーバに用意され、前記端末識別情報、及び前記端末識別情報に対応した合計ポイント情報が蓄積されたポイント管理データベース部と、前記ポイント管理サーバに用意され、スキャン行為によって送信された前記発行者識別情報と前記端末識別情報を受信して、前記ポイント管理データベース部に蓄積されている前記端末識別情報の前記合計ポイント情報に対して所定のポイントを加算処理するポイント処理部と、を備えることを特徴とするポイント発行システム。
【００１９】
（１２）上記（１１）において、前記ポイント処理部は、前記携帯端末装置を識別する前記端末識別情報として、特定のＵＲＬに前記携帯端末装置がアクセスした場合に前記携帯端末から送信される端末固有番号を利用することを特徴とするポイント発行システム。
【００２０】
（１３）上記（１１）又は（１２）において、前記画像化情報には、前記画像化情報をスキャンした場合に前記携帯端末装置から電子メールを送信させる命令を含むようにし、前記ポイント処理部は、前記携帯端末装置を識別する前記端末識別情報として前記電子メールの送信元メールアドレスを利用することを特徴とするポイント発行システム。
【００２１】
（１４）上記（１１）、（１２）又は（１３）において、更に、ユニークなソフト識別情報を保有しており、前記携帯端末装置にインストールされることで、スキャン行為と連動して、前記ソフト識別情報を前記端末識別情報として前記ポイント発行サーバに送信可能な端末識別アプリケーションソフトと、前記端末識別アプリケーションソフトを前記携帯端末装置に配信可能なソフト配信サーバと、を備えるようにしたことを特徴とするポイント発行システム。
【００２２】
（１５）上記（１１）乃至（１４）のいずれかにおいて、更に、前記ポイント管理サーバに用意され、前記携帯端末装置から受信した前記端末識別情報が前記ポイント管理データベースに予め登録されていない場合には、前記携帯端末装置に対して会員登録画面を送信して新規会員登録を促す会員登録処理部を備えることを特徴とするポイント発行システム。
【００２３】
（１６）上記（１１）乃至（１５）のいずれかにおいて、前記画像化情報には、該画像化情報を識別する画像識別情報が含まれており、前記ポイント管理データベースには、前記合計ポイント情報に加えて、前記携帯端末装置から送信された前記画像識別情報が蓄積され、前記ポイント処理部が、前記画像識別情報と前記携帯端末装置を識別する前記端末識別情報とに基づいて、同一の前記携帯端末装置による同一の前記画像化情報のスキャン回数を識別し、２回目以降のスキャンに対してはポイントの加算処理を禁止するようにしたことを特徴とするポイント発行システム。
【００２４】
（１７）上記（１１）乃至（１６）のいずれかにおいて、前記画像化情報には、自身の位置情報を確認可能な位置検出装置を備えている前記携帯端末装置によってスキャンされた場合に、前記発行者識別情報と前記端末識別情報に加えて前記位置情報も送信させる命令を含むことを特徴とするポイント発行システム。
【００２５】
（１８）上記（１１）乃至（１７）のいずれかにおいて、更に、前記ポイントを利用して所定のサービスを提供するポイント利用サーバと、前記ポイント利用サーバに用意され、前記携帯端末装置から前記通信回線を介して前記ポイントの利用要求を受信した場合には、前記携帯端末装置に対してポイント利用パスワードの入力を促し、受信した前記ポイント利用パスワードに加えて、ポイント利用数を前記ポイント管理サーバの前記ポイント処理部に送信してポイント利用処理の実行を指示するポイント利用提案処理部と、前記ポイント利用サーバに用意され、前記ポイント処理部においてポイント利用処理の実行が完了した旨の処理完了情報を受信した場合に、前記ポイント利用数に応じて所定のサービスの提供の実行するサービス提供処理部と、を備え、前記ポイント管理サーバにおける前記ポイント処理部は、前記ポイント利用提案処理部から受信した前記ポイント利用パスワードに基づいて本人認証を実行し、本人確認完了後、ポイント利用数を合計ポイント情報から減じた上で前記サービス提供処理部に前記処理完了情報を送信するようにしたことを特徴とするポイント発行システム。
【００２６】
（１９）上記（１１）乃至（１８）のいずれかにおいて、前記ポイント管理データベースには、前記合計ポイント情報と前記端末識別情報に加えて、前記利用者が任意に設定するポイント管理識別情報が蓄積され、前記ポイント管理サーバは、更に、前記利用者が第１の前記携帯端末装置を第２の携帯端末装置に変更した場合に、前記第２携帯端末装置に対して前記ポイント管理識別情報の入力を促す画面を送信し、受信した前記ポイント管理識別情報が前記ポイント管理データベースに存在する場合には、対応する第１の前記携帯端末装置の端末識別情報を第２の携帯端末装置の端末識別情報に更新することで、合計ポイント情報を第２の携帯端末装置に移行させる端末移行処理部を備えることを特徴とするポイント発行システム。
【００２７】
（２０）請求項１１乃至１９のいずれかにおいて、前記ポイント管理データベースには、前記合計ポイント情報と前記端末識別情報に加えて、前記携帯端末装置の電話番号情報が蓄積され、前記ポイント管理サーバは、更に、前記利用者が第１の前記携帯端末装置を第２の携帯端末装置に変更した場合に、前記第２携帯端末装置に対して前記第１の携帯端末装置の電話番号情報の入力を促す画面を送信し、受信した前記電話番号情報が前記ポイント管理データベースに存在する場合には、対応する第１の前記携帯端末装置の端末識別情報を第２の携帯端末装置の端末識別情報に更新することで、合計ポイント情報を第２の携帯端末装置に移行させる端末移行処理部を備えることを特徴とするポイント発行システム。
【発明の効果】
【００２８】
本発明によれば、ポイントの有効活用によって２次元バーコード等の画像化情報のスキャン意欲を高めることができ、紙媒体等の新たな活用方法を実現できることになる。
【発明を実施するための最良の形態】
【００２９】
以下、本発明の実施の形態を、添付図面を参照して説明する
【００３０】
図１には、本発明の実施形態に係るポイント発行システム１が示されている。このポイント発行システム１の全体が有機的に連携することで、ポイント発行者による２次元バーコードを活用したポイント発行サービスが実現される。
【００３１】
ポイント発行システム１は、ポイント管理サーバ５、ポイント利用サーバ４、ポイント換金サーバ７、ポイント利用者（以下ユーザ）が保有するバーコード読取機能付き携帯電話３、この携帯電話３によってスキャン可能な２次元バーコード６、携帯電話３や各サーバを相互接続するためのインターネット通信回線２、を備えている。
【００３２】
２次元バーコード６は各種情報を蓄積できるが、ここではポイント発行者を識別する為の発行者識別ＩＤ、この画像を識別する画像識別ＩＤ、発行ポイント数、スキャンした携帯電話３を識別する端末識別ＩＤを前記ポイント管理サーバに送信させる送信命令等が格納されている。具体的には、例えば図２に示されるように、発行者識別ＩＤや画像識別ＩＤ、ポイント発行数がＵＲＬ情報としてその中に含められており、この２次元バーコード６を読み取ることで、携帯電話３が自動的にこのＵＲＬに基づくＷＥＢページにアクセスする。また携帯電話３がＷＥＢページにアクセスした場合には、そのアクセスログ情報の中に、携帯電話３にとってユニーク（唯一）な製品ＩＤ（端末固有番号）が含められているので、これをアクセスログから取り出せば、携帯電話３を識別する端末識別ＩＤを取得できる。以上の結果、携帯電話３をＵＲＬを通じてＷＥＢページにアクセスさせることのみで、発行者識別ＩＤと発行ポイント数、そして端末識別ＩＤを自動的に取得できる。
【００３３】
ポイント管理サーバ５は、図３に示されるように、ポイント管理データベース部５１、ポイント処理部５２、会員登録処理部５３、端末移行処理部５４、ＷＥＢサーバ部５５、アクセスログ解析処理部５６等を含んでいる。なお、これらの各部は、ハードディスク等の各種記録媒体、メモリ等の情報一時記録媒体、これらの媒体に記録されているＰｅｒｌやＰＨＰ、Ｊａｖａ（登録商標）等によって記述される各種プログラム、そのプログラムを実現するデータベースミドルウエアや基本ＯＳ、これらのソフトウエアを実行する中央演算装置（ＣＰＵ）、各ハードウエアを連結するシステムバス等の通信回線によって実現される。また、ここではポイント管理サーバ５を１つの機器として表現しているが、本発明はそれに限定されず、複数のサーバ機器を活用して機能を分散配置したり、あるいは同一機能を複数のサーバに持たせて冗長特性を高めるようにしても良い。
【００３４】
ポイント管理データベース部５１は、図４に示されるように、ユーザデータベース（Ｕ）と、ポイント発行者データベース（Ｈ）を備えている。ユーザーデータベース（Ｕ）には、端末識別ＩＤ５１１、端末識別ＩＤ５１１毎の合計ポイント情報５１２、スキャン履歴情報５１３等が登録されている。ポイント発行者データベース（Ｈ）には、ポイント発行者の企業名称５１４とその発行者識別ＩＤ５１５、そしてこの企業が発行した２次元バーコード６の画像識別ＩＤ５１６、画像識別ＩＤ５１６に対応する発行ポイント数５１７及び画像有効期限情報５１８、転送先ＵＲＬ５１９等が登録されている。このように発行者識別ＩＤ５１５と２次元バーコード６の画像識別ＩＤ５１６を別々にしたのは、一の発行者であっても複数の２次元バーコードを別目的で発行することが考えられるためである。勿論、発行者毎に１種類の２次元バーコードを配信する場合には、発行者識別ＩＤのみで２次元バーコードの識別が可能になり、画像識別ＩＤは不要になる（共有できる）。転送先ＵＲＬ５１９が必要となるは、このポイント管理サーバ５にアクセスした携帯電話３に対して、ポイント発行者のＷＥＢページの画面を携帯電話３に送信するためである。
【００３５】
図３に戻って、ＷＥＢサーバ部５５は、携帯電話３からのＨＴＴＰ（Ｓ）アクセスを受信すると共に、その要求に沿って携帯電話３に対して所定のＨＴＭＬや画像情報を配信する。また、アクセスログ解析処理部５６は、ＷＥＢサーバ部５５に対する携帯電話３からのＨＴＴＰ（Ｓ）アクセスの受信情報を解析して、その携帯電話３の端末識別ＩＤ５１１（製品ＩＤ）を抽出し、この端末識別ＩＤ５１１をポイント処理部５２に渡す。なお、このＨＴＴＰやＨＴＭＬ等の所定のプロトコルは、環境によって適宜変更可能なものである。
【００３６】
ポイント処理部５２は、ＷＥＢサーバ部５５に対する携帯電話３のアクセスに基づいて実行されるプログラムであり、受信した発行者識別ＩＤ５１５、端末識別ＩＤ５１１、画像識別ＩＤ５１６、発行ポイント数５１７に基づいて合計ポイント情報の更新を実行する。具体的には、受信した端末識別ＩＤ５１１に対応する合計ポイント情報５１２をユーザデータベース（Ｕ）から取り出して、その合計ポイント情報５１２に発行ポイント数５１７を加算処理して、データベースを更新する（詳細は後述する）。
【００３７】
会員登録処理部５３はユーザの会員登録処理を実行するが、この実施形態では、獲得ポイントを利用するタイミングで会員登録処理を行う。つまり、ポイントを貯めている段階では、アクセスログから端末識別ＩＤを自動的に取得して端末を識別できるので、会員登録を不要にしている。その場合、図５に示されるように、携帯電話３に対して会員登録画面（入力フォーム）５３０を送信して会員情報の入力を促し、登録を受け付けるようにする。この入力情報としては、名前、携帯電話番号（ポイント管理識別情報）、電子メールアドレス、ポイント利用パスワードが含まれている。
【００３８】
端末移行処理部５４は、携帯電話３を新しい機種等に交換した場合に携帯電話番号を利用してポイントを移行させる処理を実行する。図６に具体的に示されるように、旧携帯電話３Ａから新携帯電話３Ｂに交換した場合には、端末移行処理部５４が新携帯電話３Ｂに対して、旧携帯電話３Ａの携帯電話番号の入力を促す画面を送信する。その画面に入力された旧携帯電話番号を端末移行処理部５４が受信し、その旧電話番号がポイント管理データベース部５１に存在するか否かを照合し、存在する場合には、対応する旧携帯電話３Ａの端末装置の端末識別ＩＤを新しい携帯端末装置の端末識別ＩＤに更新することで、合計ポイント情報の移行が完了する。その場合、新しい携帯電話３Ｂの携帯電話番号も入力させておくことで、次回の携帯電話の交換時にも対応できるようにしておくことが好ましい。
【００３９】
次に、図７のフローチャートに従いながら、ポイント発行システム１のポイント発行の手順について説明する。
【００４０】
まず、ステップ１０１において、新聞や紙面に印刷されている２次元バーコード６を携帯電話３でスキャンする。その結果、ステップ１０３において、ポイントの発行者識別ＩＤ、画像識別ＩＤ、発行ポイント数、端末識別ＩＤがポイント管理サーバ５に送信される。それらの情報を受信した際、ステップ１０５において、ポイント処理部５２がポイント管理データベース部５１にアクセスして、受信した端末識別ＩＤが既に登録されているか否かを判断する。登録されていなければ、その携帯電話３からは初めてのアクセスになるので、ステップ１０７に進んで、その端末識別ＩＤをポイント管理データベース部５１に登録してからステップ１０９に進む。ステップ１０９では、ポイント処理部５２が端末識別ＩＤと、画像識別ＩＤを用いて、その２次元バーコード６のスキャン（アクセス）回数を算出し、ステップ１１１において、そのスキャン回数が２回以上か否かを判断する。２回以上の場合には、既にこの２次元バーコード６のスキャン行為に基づいて携帯電話３にポイントを発行しているので、ステップ１１３において、ポイント発行を行わずにポイント発行者が指定するＵＲＬに自動転送する（図８（Ｂ）参照）。一方、初回スキャンの場合は、ステップ１１５に進んで、合計ポイント数に今回の発行ポイントを加算処理すると共に、図８（Ａ）に示されるように、携帯電話３の画面に、今回の発行ポイント数と現時点の合計ポイント数を表示した後、ステップ１１７に進んで、図８（Ｂ）に示されるように、ポイント発行者が指定するＵＲＬに自動転送する。
【００４１】
以上のように、本ポイント発行システム１におけるポイント発行手順によれば、携帯電話３による２次元バーコード６のスキャンによって、携帯電話３を区別しながら、自動的にポイントを発行できるようになる。従って、スキャン行為自体によって、ユーザはポイントを得ることが出来るというメリットがあると共に、ポイント発行者にとっては、スキャンの実行者に目的の情報を的確に伝達することが出来る。例えば、新聞等に広告を掲載した場合に、ポイントを発行できる２次元バーコード６を広告と共に印刷しておくことで、スキャン行為を促し、それと共に、当該広告に着目してもらうことが可能になる。また、スキャンした後で、携帯電話３の画面には、発行者のＷＥＢサイトで必要な情報をオンラインで提供することが出来るので、紙面広告と併せた情報を的確に配信することも可能になる。例えば、発行者が、北海道、東北、関東・・・と地域毎に区別された２次元バーコード６を紙面によって配布することで、各地域に沿った情報をユーザに提供することもできるようになる。
【００４２】
なお、ここでは携帯電話３による初回アクセスの場合は、図７のステップ１０７によって端末識別ＩＤをデータベースに自動登録するようにしたが、本発明はそれに限定されない。例えば、図９のフローチャートに示されるように、初回アクセスの場合にはステップ２２０に進み、会員登録処理部５３によって図５に示したような会員登録画面を携帯電話３に送信する。ステップ２２１において、ユーザは、その入力フォームに、ポイント利用パスワードや携帯電話番号等を入力・送信し、会員登録が完了した後にステップ１０９においてポイント発行することも出来る。
【００４３】
更に、本発明では、携帯電話３を互いに識別するために、製造番号等と関係する端末識別ＩＤを用いるようにしたが、会員登録時にサーバ側から積極的に識別ＩＤを付与するようにしても良い。例えば図１０のフローチャートに示されるように、ステップ３２０において、携帯電話３に専用の端末識別アプリケーションがインストールされているか否かを判断する。この判断は、携帯電話３から端末識別ＩＤが送信されたか否かで判断できる。端末識別アプリケーションがインストールされていない場合は、初回アクセスと考えられるので、ステップ３２１に進んで、会員登録画面を送信して、ステップ３２２でそれらの情報を入手し、その後、ステップ３２３で端末識別アプリケーションをダウンロードさせる。この端末識別アプリケーションは、予め固有の端末識別ＩＤ（ソフト識別ＩＤ）が付与されており、これによって携帯電話３をユニークに識別するようになっている。具体的には、この端末識別アプリケーションは、携帯電話３のスキャンデバイスと連結され、２次元バーコード６をスキャンすることにより特定のアクションと連動して、端末識別ＩＤをポイント管理サーバ５に送信するようになっている。従って、ポイント管理サーバ５が端末識別ＩＤを受信できない場合は、端末識別アプリケーションがインストールされていないと判断することができる。この端末識別アプリケーションは、具体的には、端末識別ＩＤ管理部と２次元バーコード情報解析部等をそなえており、例えば、特定のＵＲＬにアクセスするアクションの場合には、そのＵＲＬに対して端末識別ＩＤを自動的に追加してから送信する（アクセス先のプログラムに対して引数として端末識別ＩＤを渡す）。これによりポイント管理サーバ５側では、そのＵＲＬから端末識別ＩＤを取得することができる。また同様に、メール配信アクションによって各種情報をポイント管理サーバ５に送信する場合には、そのメールの中に端末識別ＩＤを自動的に挿入するようにしても良い。なお、図９、図１０に関しては、図中、図７と同一の符号を付した部分はこの図７と同一処理を表わしているので、繰り返しを避けるため個別の説明は省略する。
【００４４】
次に、このポイント発行システム１において、図１で示したポイント利用サーバ４において既得ポイントをユーザが利用する場合について説明する。
【００４５】
ポイント利用サーバ４はネットショッピングのサイトを想定しており、図１１に示されるように、ポイント利用提案処理部４１と、サービス提供処理部４２を備えている。なお、このサーバにおいてもＷＥＢサービス等が提供されているが、それについての詳細は省略する。
【００４６】
例えば、発行ポイントを利用できるＷＥＢサイトに携帯電話３でアクセスして商品の購入を実行する場合、ポイント利用提案処理部４１が、図１２（Ａ）に示されるようなポイント利用画面を携帯電話３に送信する。このポイント利用画面には取得済みの合計ポイントが表示されており、更に、ポイントの利用数とポイント利用パスワードの入力欄が設けられている。合計ポイントの入手に関しては、ポイント管理サーバ５と全く同様の仕組みを用いており、ポイント利用提案処理部１４が携帯電話３の端末識別ＩＤを取得し、この端末識別ＩＤに基づいてポイント管理サーバ５に対して合計ポイント数を問い合わせる仕組みになっている。ポイント利用画面に入力されたポイント利用数とポイント利用パスワードを受信したポイント利用提案処理部４１は、再度、ポイント管理サーバ５におけるポイント処理部５２に問い合わせを行い、これらの情報を提供してポイントの利用処理を指示する。ポイント処理部５２では、受信したポイント利用パスワードに基づいて本人認証を実行し、本人確認が完了したら、ポイント利用数を合計ポイント情報から減じた上で、ポイント利用サーバ４におけるサービス提供処理部４２に処理完了情報を送信する。なお、本人認証ができない場合や合計ポイント数等に矛盾が生じている場合はエラー情報を送信する。処理完了情報を受信したサービス提供処理部４２は、更に、図１２（Ｂ）に示される決済画面を携帯電話３に送信し、利用ポイントを差し引いた額について最終決済を行い、商品購入注文の受注確定処理を完了させる。なお、ここではポイント管理サーバ５とポイント利用サーバ４が別々のサーバである場合を示したが、これらが１つのサーバを共有していても構わない。
【００４７】
次に、このポイント発行システム１において、ポイント換金サーバ７を用いてポイントを換金する場合について説明する。
【００４８】
ポイント換金サーバ７は、図１３に示されるように、換金注文を受信する換金処理部７１と、ポイント発行者の預金を管理すると共にこの預金を所定の口座に送金可能な資金入出金処理部７２を備えている。このポイント換金サーバ７は各種金融機関Ａ社、Ｂ社、Ｃ社の資金管理サーバ９０と接続されており、この資金入出金処理部７２を介して金銭の受け渡しを実行できるようになっている。ユーザがポイントを換金する場合には、ます、携帯電話３によって換金処理部７１にアクセスする。換金処理部７１は携帯電話３に対して図１４（Ａ）に示すようなポイント換金画面を送信する。ポイント換金画面には、換金ポイント入力欄と、ポイント利用パスワード入力欄、そして実際に換金の連絡を受け取るメールアドレス入力欄が設けられている。従って、換金を希望するユーザはこれらの情報を入力して換金処理部７１に送信すると、換金ポイント数とポイント利用パスワードを受信した換金処理部７１は、ポイント管理サーバ５におけるポイント処理部５２に問い合わせを行い、これらの情報を提供してポイントの利用処理を指示する。ポイント処理部５２では、受信したポイント利用パスワードに基づいて本人認証を実行し、本人確認が完了したら、換金ポイント数を合計ポイント情報から減じた上で、ポイント換金サーバ７における換金処理部７１に処理完了情報を送信する。この情報を入手した換金処理部７１は、入力されたメールアドレス宛に、図１４（Ｂ）に示されるような換金完了通知メールを送信して受け取り口座選択画面へアクセスするように促す。図１４（Ｃ）に示されるように、受け取り口座選択画面では、金融機関Ａ社、Ｂ社、Ｃ社のいずれかを選択すると共に、その口座番号を入力して、送金ボタンを押す。口座情報を受け取った資金入出金処理部７２は、ポイント発行者がプールしている預金口座から、換金ポイントに相当する金銭を選択された口座に送金する。この結果、ポイントの換金が完了することになる。なお、ここでは自分のメールアドレスを指定することで換金を行ったが、例えば、他人のメールアドレスを指定することで送金することも可能である。
【００４９】
以上、本実施形態に係るポイント発行システム１では、ポイントの発行と利用が実現可能になっている。ポイント利用サーバ４のように、ポイントを利用して直接何らかのサービスを受け取ることも可能であり、また、ポイント換金サーバ７のように、換金目的でポイントを利用することも出来る。このような様々な利用方法を確保しておくことで、益々２次元バーコードをスキャンする意欲を高めることができる。
【００５０】
なお、上記実施形態においては、２次元バーコード６が新聞等に印刷される場合を示したが、本発明はそれに限定されない。例えば図１５に示されるように、コンビニエンスストア等の店舗のレジで、商品購入時のお釣をポイントで受け取ることも可能である。ユーザが、お釣の代わりとしてポイントの受け取りを希望する場合には、店員が、２次元バーコード６が印刷されたレシートをＰＯＳレジ端末から出力して渡す。この２次元バーコード６を携帯電話３でスキャンすれば、ポイントを獲得することが可能となる。その後、本ポイント発行システム１のポイント換金サーバ７等を活用して、必要に応じて換金も出来るので利便性が高い。
【００５１】
更に本実施形態では、２次元バーコード６をスキャンすることで、特定のＵＲＬ（ＷＥＢページ）にアクセスする場合を示したが、本発明はそれに限定されない。例えば、スキャンした場合のアクションとして、携帯電話３から電子メールを配信するようにしてもよい。その場合は、配信先の電子メールアドレスや配信タイトル、配信内容、配信元電子メールアドレス等を活用する。例えば、電子メールアドレスの中に、ポイント発行者の識別ＩＤやポイント発行数を一定のルールで埋め込むことも可能であり、また、携帯電話３を識別する情報として配信元の電子メールアドレスを利用することが可能になる。
【００５２】
また、上記実施形態では、携帯電話３から個別に配信する情報は端末識別ＩＤのみであったが、本発明はそれに限定されない。例えば、ＧＰＳやアンテナ基地局などによって自らの場所を確認できる位置検出装置が携帯電話３に備えられている場合は、２次元バーコード６の情報中に、位置情報を配信するような命令を含めておくことも可能である。このようにしておくことで、２次元バーコードのスキャン時間、スキャン場所の双方をリアルタイムで把握できるようになるので、ポイント発行者側はその情報に基づいてマーケティングリサーチが可能になる。例えば、紙媒体に掲載した広告の視聴率、視聴場所等、今まで把握できなかった情報を吸い上げることもできる。また、その位置情報に基づいて最適な情報を携帯電話３に配信することも出来る。
【００５３】
ところで、今回のポイント発行システム１に関しては、ポイント発行者に対する課金に関して具体的に触れていないが、実際のポイント発行数に応じて、発行者に対して課金処理を実行することが好ましい。例えば、クレジットカード等によって自動的に課金処理を実行し、その金銭を、ポイント換金サーバ７の資金入出金処理部７２にプールしておくようにする。この結果、ポイントに対する換金要求に対しても、発行者の資金を用いて換金することが可能になる。
【００５４】
なお、本実施形態では、携帯端末装置の一例として携帯電話３を示したが、ユーザが持ち運び可能な端末であれば、携帯電話に限定されるものではない。例えばＰＤＡやその他の端末を用いることも可能である。また、本実施形態では画像化情報の一例として２次元バーコードを示したが、本発明はそれに限定されるものではなく、他の画像化情報であっても構わない。また、ここでは携帯電話３の携帯電話番号や機種の固体番号が、携帯電話単位で固定されている場合に限って示したが、今後、それらの各情報は着脱可能な記録媒体に保存され、携帯電話機本体を変更しても、それらの情報は変更後の端末に移行できる場合も考えられる。その場合は、この記録媒体の情報が携帯電話を固有に決定する情報となるので、携帯電話機はハード的な器になるだけである。従って、その記録媒体の情報を基準にして上記ポイントを管理すれば十分になる。
【産業上の利用可能性】
【００５５】
本発明のポイント発行技術は、ＰＯＳレジ等におけるポイント発行システム、懸賞等におけるポイント発行システム等、様々な領域で応用可能である。
【図面の簡単な説明】
【００５６】
【図１】本発明の実施形態に係るポイント発行システムの全体構成を示す図
【図２】同システムにおける２次元バーコードに含められる情報の例を示す図
【図３】同システムにおけるポイント管理サーバの内部構成を示すブロック図
【図４】同システムにおけるポイント管理データベース部の内部構成を示すブロック図
【図５】同システムにおいて携帯電話に配信される会員登録画面を示すインターフェース図
【図６】同システムにおける携帯電話の機種変更時のポイント移行手順を示すブロック図
【図７】同システムにおけるポイント発行の手順を示すフローチャート
【図８】同システムにおけるポイント活用画面を示すインターフェース図
【図９】同システムにおける他のポイント発行手順を示すフローチャート
【図１０】同システムにおける他のポイント発行手順を示すフローチャート
【図１１】同システムにおけるポイント利用サーバの内部構成を示すブロック図
【図１２】同システムにおけるポイント利用画面を示すインターフェース図
【図１３】同システムにおけるポイント換金サーバの構成を示すブロック図
【図１４】同システムにおけるポイント換金手順を示すブロック図
【図１５】ＰＯＳ端末からポイントが発行される仕組みを示すブロック図
【符号の説明】
【００５７】
１            ポイント発行システム
２            インターネット
３            携帯電話
４            ポイント利用サーバ
５            ポイント管理サーバ
６            ２次元バーコード
７            ポイント換金サーバ
【図１】
2006048118.tif 000003
【図２】
2006048118.tif 000004
【図３】
2006048118.tif 000005
【図４】
2006048118.tif 000006
【図５】
2006048118.tif 000007
【図６】
2006048118.tif 000008
【図７】
2006048118.tif 000009
【図８】
2006048118.tif 000010
【図９】
2006048118.tif 000011
【図１０】
2006048118.tif 000012
【図１１】
2006048118.tif 000013
【図１２】
2006048118.tif 000014
【図１３】
2006048118.tif 000015
【図１４】
2006048118.tif 000016
【図１５】
2006048118.tif 000017